(57)【要約】【課題】  画像表示手段で表示する画像の解像度を、この画像を見る視聴者の視距離で決まる識別解像度に応じて変動させることにより、処理する画像のデータ量を削減する。【解決手段】  画像出力装置１００と、ＬＣＤパネル２０６を有する画像表示装置２００との間で接続された画像表示システム１は、画像出力装置１００が、前記ＬＣＤパネル２０６と視聴者との距離情報を取得する距離情報取得部１７０と、前記距離情報に基いて、視聴者が視覚的に識別しうる画像の解像度を基に第一の解像度を決定する解像度決定部１６０と、ＬＣＤパネル２０６の解像度が第一の解像度を越える場合に、前記入力した画像を第一の解像度で前記ＬＣＤパネル２０６に表示されるように変換する画像処理部１５６とを備え、画像表示装置２００が、前記画像を前記ＬＣＤパネル２０６に表示させる画像表示部２６０を備える。【選択図】      図２
2007047532.tif 000002
【特許請求の範囲】
【請求項１】
画像データを出力する画像出力装置と、第一の解像度の画像表示手段を有し、入力された画像を表示する画像表示装置との間でデータが授受可能に接続された画像表示システムであって、
画像出力装置は、
各画素毎に分離可能な画像のデータが入力される画像入力部と、
前記画像表示手段と前記画像表示手段を見る視聴者との距離情報を取得する距離情報取得部と、
前記距離情報に基いて、前記視聴者が視覚的に識別しうる画像の解像度を基に第二の解像度を決定する解像度決定部と、
前記第一の解像度が前記第二の解像度を越える場合に、前記入力された画像が前記第二の解像度で表示されるように変換する画像処理部とを備え、
画像表示装置は、
前記画像処理部で変換された画像のデータが入力される画像入力部と、
前記入力された画像を前記画像表示手段に表示させる表示駆動部とを備えることを特徴とする画像表示システム。
【請求項２】
画像表示手段に対して表示する画像のデータを出力する画像出力装置であって、
各画素毎に分離可能な画像が入力される画像入力部と、
前記画像表示手段の解像度を取得する解像度取得部と、
前記画像表示手段と前記画像表示手段を見る視聴者との距離情報を取得する距離情報取得部と、
前記距離情報に基いて、前記視聴者が視覚的に識別しうる画像の解像度を基に表示解像度を決定する解像度決定部と、
前記解像度が前記表示解像度を越える場合に、前記入力された画像を前記表示解像度の画像として表示されるように変換する画像処理部と、
前記画像処理部で前記表示解像度の画像に変換された画像データを前記画像表示手段に出力する画像出力部とを備えることを特徴とする画像出力装置。
【請求項３】
請求項２に記載の画像出力装置において、
前記解像度決定部は、前記表示解像度の決定に際して、
Ｙ＝９０／Ｘ
Ｙ：解像度（単位：ＰＰＩ［１インチあたりの画素数］）
Ｘ：前記画像表示手段と前記視聴者との距離（単位：メートル）
で示される演算式に基き決定することを特徴とする画像出力装置。
【請求項４】
請求項２乃至３の何れかに記載の画像出力装置において、
前記表示解像度は、
前記画像表示手段と前記視聴者との距離の増加に伴い、階段状に減少することを特徴とする画像出力装置。
【請求項５】
請求項２乃至４のいずれか１項に記載の画像出力装置において、
前記解像度決定部は、
前記視聴者の視力に応じて前記表示解像度を補正する補正手段を有することを特徴とする画像出力装置。
【請求項６】
請求項２乃至５のいずれか１項に記載の画像出力装置において、
前記画像処理部は、
前記画素を、矩形状に結合してグループ化することを特徴とする画像出力装置。
【請求項７】
請求項２乃至６のいずれか１項に記載の画像出力装置において、
前記画像処理部は、
前記結合した矩形状の画素を、前記結合前の１つの画素と略同じ大きさに縮小することを特徴とする画像出力装置。
【請求項８】
請求項２乃至７のいずれか１項に記載の画像出力装置において、
前記距離情報取得部は、
前記視聴者が操作指示するべく発する信号に基いて、前記距離情報を取得することを特徴とする画像出力装置。
【請求項９】
画像出力装置から送られる画像を表示する画像表示装置であって、
前記画像出力装置から送られる画像のデータが入力される画像入力部と、
前記画像を表示する画像表示部と、
前記画像表示部の最大解像度を送る送信部とを備え、
前記画像出力装置から送られる画像は、
前記最大解像度が前記画像表示部と前記画像表示部を見る視聴者との距離に基き決定された表示解像度を越える場合に、
前記表示解像度で前記画像表示部に表示されるべく処理されることを特徴とする画像表示装置。
【請求項１０】
請求項９に記載の画像表示装置において、
前記入力された画像を、前記画像表示部の大きさに合わせて拡大する画像拡大部を更に備えることを特徴とする画像表示装置。
【発明の詳細な説明】
【技術分野】
【０００１】
本発明は、視聴者に対して画像を表示する画像表示システム、画像出力装置および画像表示装置に関する。
【背景技術】
【０００２】
従来、画像を表示する画像表示装置の表示手段には、液晶パネル等が用いられている。このような表示手段の解像度は、表示手段を構成する表示可能な画素数により決定され、視聴者と表示手段との距離に関係無く、表示手段は、常に同じ解像度で画像を表示していた。
また、下記特許文献１に記載の装置は、視聴者と表示手段との距離が遠くなった場合には、表示手段で表示する画像を拡大することに加え、視聴者と表示手段との距離が近くなった場合には、表示手段で表示する画像を縮小することにより、視聴者と表示手段との距離に依らず、画像の大きさを、見かけ上で一定にして表示していた。
【０００３】
【特許文献１】特開２０００−２７６１２３号公報
【発明の開示】
【発明が解決しようとする課題】
【０００４】
しかしながら、人間の目の識別解像度は、視距離に反比例して低下することが知られており、所定の視距離を越えて、この識別解像度以上の画像を表示しても、人間の目には、この識別解像度を越えた識別ができなかった。それにも係らず、識別解像度を考慮しない画像を表示するべく、必要以上の画像データが処理されるため、データの処理が非効率であった。加えて、表示すべき画像のデータを、データ量に応じて課金されるネットワーク等で授受する場合、必要以上に過剰で不要なデータを多く含むため、通信費が高価になるという問題も有した。
【課題を解決するための手段】
【０００５】
上記した課題を解決するために、本発明の画像表示システムは、画像データを出力する画像出力装置と、第一の解像度の画像表示手段を有し、入力された画像を表示する画像表示装置との間でデータが授受可能に接続された画像表示システムであって、画像出力装置は、各画素毎に分離可能な画像のデータが入力される画像入力部と、前記画像表示手段と前記画像表示手段を見る視聴者との距離情報を取得する距離情報取得部と、前記距離情報に基いて、前記視聴者が視覚的に識別しうる画像の解像度を基に第二の解像度を決定する解像度決定部と、前記第一の解像度が前記第二の解像度を越える場合に、前記入力された画像が前記第二の解像度で表示されるように変換する画像処理部とを備え、画像表示装置は、前記画像処理部で変換された画像のデータが入力される画像入力部と、前記入力された画像を前記画像表示手段に表示させる表示駆動部とを備えることを特徴とする。
この発明によれば、画像表示手段と視聴者との距離情報に基いて、視聴者が視覚的に識別しうる画像の解像度を基に第二の解像度が決定され、画像表示手段の第一の解像度が第二の解像度を越える場合には、入力された画像が第二の解像度で表示されるべく変換されるため、画像を表示するべく処理するデータ量が減少すると共に、この画像のデータを、画像出力装置と画像表示装置との間で、ネットワークにより授受させる場合の通信量ならびに通信コストを低減できる。
【０００６】
上記した課題を解決するために、本発明の画像出力装置は、画像表示手段に対して表示する画像のデータを出力する画像出力装置であって、各画素毎に分離可能な画像が入力される画像入力部と、前記画像表示手段の解像度を取得する解像度取得部と、前記画像表示手段と前記画像表示手段を見る視聴者との距離情報を取得する距離情報取得部と、前記距離情報に基いて、前記視聴者が視覚的に識別しうる画像の解像度を基に表示解像度を決定する解像度決定部と、前記解像度が前記表示解像度を越える場合に、前記入力された画像を前記表示解像度の画像として表示されるように変換する画像処理部と、前記画像処理部で前記表示解像度の画像に変換された画像データを前記画像表示手段に出力する画像出力部とを備えることを特徴とする。
この発明によれば、画像表示手段と視聴者との距離情報に基いて、視聴者が視覚的に識別しうる画像の解像度を基に表示解像度が決定され、画像表示手段の解像度が表示解像度を越える場合には、入力された画像が表示解像度で表示されるべく変換されるため、画像を表示するべく処理するデータ量が減少すると共に、この画像のデータをネットワークで授受させる場合の通信費ならびに通信コストを低減できる。
【０００７】
本発明では、前記解像度決定部は、前記表示解像度の決定に際して、
Ｙ＝９０／Ｘ
Ｙ：解像度（単位：ＰＰＩ［１インチあたりの画素数］）
Ｘ：前記画像表示手段と前記視聴者との距離（単位：メートル）
で示される演算式に基き決定することが好ましい。
この発明によれば、人間の目の識別解像度に応じて解像度を決定できる。
【０００８】
本発明では、前記表示解像度は、前記画像表示手段と前記視聴者との距離の増加に伴い、階段状に減少することが好ましい。
この発明によれば、視聴者との距離に応じた解像度を離散値化できる。
【０００９】
本発明では、前記解像度決定部は、前記視聴者の視力に応じて前記表示解像度を補正する補正手段を有することが好ましい。
この発明によれば、視聴者の視力に応じて解像度を補正できる。
【００１０】
本発明では、前記画像処理部は、前記画素を、矩形状に結合してグループ化しても良い。
【００１１】
本発明では、前記画像処理部は、前記結合した矩形状の画素を、前記結合前の１つの画素と略同じ大きさに縮小することが好ましい。
この発明によれば、グループ化することで削減できるデータの削減量を離散値化できる。
【００１２】
本発明では、前記距離情報取得部は、前記視聴者が操作指示するべく発する信号に基いて、前記距離情報を取得しても良い。
【００１３】
本発明の画像表示装置は、画像出力装置から送られる画像を表示する画像表示装置であって、前記画像出力装置から送られる画像のデータが入力される画像入力部と、前記画像を表示する画像表示部と、前記画像表示部の最大解像度を送る送信部とを備え、前記画像出力装置から送られる画像は、前記最大解像度が前記画像表示部と前記画像表示部を見る視聴者との距離に基き決定された表示解像度を越える場合に、前記表示解像度で前記画像表示部に表示されるべく処理されることを特徴とする。
この発明によれば、画像表示部と視聴者との距離情報に基いて表示解像度が決定され、画像表示部の最大解像度が表示解像度を越える場合には、画像表示部で表示される画像は、表示解像度で表示されるべく処理されているため、画像表示装置で画像を処理するデータ量が減少すると共に、この画像のデータをネットワークを介して入力する場合の通信量ならびに通信コストを低減できる。
【００１４】
本発明では、前記入力された画像を、前記画像表示部の大きさに合わせて拡大する画像拡大部を更に備えても良い。
【発明を実施するための最良の形態】
【００１５】
以下、本発明の実施形態について、テレビジョン受像機のように、各種の画像を視聴者に表示する画像表示システム１を用いて説明する。
（実施形態）
【００１６】
（ハードウェア構成）
図１は、画像表示システム１のハードウェア構成を示す図である。この画像表示システム１は、表示すべき画像を出力する画像出力装置１００と、入力した画像を表示する画像表示装置２００とが画像データを授受可能に接続されている。
【００１７】
この中で、一方の画像出力装置１００は、ＣＰＵ（Central Processing Unit）１０６ａと、ＲＯＭ（Read Only Memory）１１０ａと、ＲＡＭ（Random Access Memory）１０８ａと、ビデオデコーダ１１４と、ビデオプロセッサ１１６と、画像メモリ１１８ａと、距離検出回路１２０と、入力Ｉ／Ｆ（Interface）１０４と、通信Ｉ／Ｆ１２２ａとを備え、これらのハードウェアは、バス１２８ａにより各信号が授受可能に接続されている。
【００１８】
ＣＰＵ１０６ａは、ＲＯＭ１１０ａに格納された基本制御プログラムなどの各種プログラム及びデータを読み込み、これらの各種プログラム及びデータをＲＡＭ１０８ａ内に設けられるメインメモリ領域に展開して実行し、画像出力装置１００が備える各部の制御を実行する。
【００１９】
ビデオデコーダ１１４は、画像信号入力端子１１２ａに入力されたアナログ画像信号を、ビデオプロセッサ１１６に入力可能なデジタル画像信号に変換する。また、ビデオプロセッサ１１６は、画像信号入力端子１１２ａから入力されたデジタル画像信号やビデオデコーダ１１４で変換されたデジタル画像信号を入力して、後述する種々の画像処理を各画素単位で実行した後、画像処理された画像信号を画像信号出力端子１２４から画像表示装置２００に出力する。更に、画像メモリ１１８ａは、デジタル画像信号を一時的に保管するためのメモリである。
【００２０】
また、距離検出回路１２０は、距離センサ１２６から出力される電気信号から、距離に関する情報を検出する。この距離センサ１２６は、図示を略すが、例えば、発光手段と受光手段とを有し、発光手段から発光された光が、対象物に反射して受光手段に入射した光の入射角度や光量等により、対象物からの距離に応じた信号を出力する。尚、この距離センサ１２６は、光による方法には限定されず、超音波や電波等による方法も採用できる。
【００２１】
入力Ｉ／Ｆ１０４は、キーボード１０２や図示を略した位置指示具等からの指示信号を入力する。また、通信Ｉ／Ｆ１２２ａは、画像表示装置２００の通信Ｉ／Ｆ１２２ｂとの間で、所定のプロトコルに従い通信を行う。
【００２２】
次に、他方の画像表示装置２００は、ＣＰＵ１０６ｂと、ＲＡＭ１０８ｂと、ＲＯＭ１１０ｂと、画像メモリ１１８ｂと、ＬＣＤコントローラ２０２と、ＬＣＤドライバ２０４と、通信Ｉ／Ｆ１２２ｂとを備え、これらのハードウェアは、バス１２８ｂにより各信号が授受可能に接続されている。尚、これらのハードウェアの中で、ＣＰＵ１０６ｂと、ＲＡＭ１０８ｂと、ＲＯＭ１１０ｂと、画像メモリ１１８ｂと、通信Ｉ／Ｆ１２２ｂとは、画像出力装置１００のハードウェアと同一の機能を有するので、これらの説明は略す。
【００２３】
ＬＣＤコントローラ２０２は、画像信号入力端子１１２ｂから入力されて画像メモリ１１８ｂに記憶された画像信号を基に、ＬＣＤパネル２０６で描画する描画信号を生成して、ＬＣＤドライバ２０４に送る。また、ＬＣＤドライバ２０４は、ＬＣＤコントローラ２０２で生成された描画信号に従い、図示を略したソースドライバとゲートドライバによりＬＣＤパネル２０６上の各画素を順次描画する。尚、本実施形態では、画像を表示する画像表示部２６０（図２）には、表示媒体としてＬＣＤパネル２０６を採用している。このＬＣＤパネル２０６の画素数は、１９２０画素×１０８０画素であると共に、有効な画素寸法は、１０１．８ｃｍ×５７．３ｃｍであり、パネル解像度は、４８ｐｐｉ×４８ｐｐｉ（Pixels Per Inch）を想定している。尚、これらのＬＣＤパネル２０６の属性に関する情報は、予めＲＯＭ１１０ｂに記憶されている。また、本発明における表示媒体は、ＬＣＤパネル２０６に限定されず、プラズマディスプレイパネルやブラウン管等も採用できる。更に、表示媒体に表示した画像を直接見る方式以外に、表示媒体に表示した画像を投写して見るプロジェクタのような方式も採用できる。
【００２４】
（機能構成）
図２は、画像表示システム１の機能構成を示す機能ブロック図である。この中で、一方の画像出力装置１００は、画像入力部１５０ａと、解像度取得部１５２と、通信部１５４ａと、画像処理部１５６と、画像出力部１５８と、解像度決定部１６０と、視力入力部１６４と、距離情報取得部１７０とを備える。また、他方の画像表示装置２００は、通信部１５４ｂと、属性記憶部２５４と、画像入力部１５０ｂと、画像拡大部２５０と、画像描画部２５２と、画像表示部２６０とを備える。尚、これらの機能部は、前記したハードウェア資源と、ソフトウェアとが有機的に協働することで実現される。
【００２５】
画像入力部（１５０ａ，１５０ｂ）は、各画素により構成されるデジタル画像のデータを入力する。また、画像出力部１５８は、デジタル画像のデータを出力する。
【００２６】
解像度取得部１５２は、画像出力装置１００に接続された画像表示装置２００の画像表示部２６０の最大の解像度を取得する。具体的には、画像表示装置２００の解像度に関する情報は、画像表示装置２００のＲＯＭ１１０ｂに属性記憶部２５４として記憶されているため、解像度取得部１５２は、両方の通信部（１５４ａ，１５４ｂ）を介し、画像表示装置２００との間で通信することにより、この情報を取得する。尚、取得された解像度の情報は、画像処理部１５６に送られる。
【００２７】
距離情報取得部１７０は、画像表示部２６０と、この画像表示部２６０を見る視聴者との視距離の情報を取得する。具体的には、画像表示部２６０と視聴者との距離は、視聴者が操作指示するべく操作リモコンから発する光の信号を用いて、距離センサ１２６で計測された後、距離検出回路１２０で距離を示す信号に変換される。距離情報取得部１７０は、この信号を取得して、距離に関する情報を生成し、解像度決定部１６０に送る。
【００２８】
解像度決定部１６０は、距離情報取得部１７０から送られた、画像表示部２６０と視聴者との視距離の情報に基き、この視距離に応じて視聴者が識別可能な画像の解像度を決定する。決定された解像度に関する情報は、画像処理部１５６に送られる。ここで、解像度決定部１６０の機能を説明するに当たり、図４も参照して説明する。図４（ａ）は、表示解像度と、この解像度を認識できる限界距離の関係を示す。このように、視距離と人間の目の解像度との関係は、反比例することが知られており、例えば、視力が１．０の人の視距離Ｘ（ｍ）における限界解像度Ｙ（ｐｐｉ）は、次式で示せる。
Ｙ＝９０／Ｘ
【００２９】
図４（ｂ）は、視聴者と画像表示部２６０との距離に応じて算出した限界解像度の変化と、算出した限界解像度に基き、画像表示部２６０で表示するのに十分な表示解像度を示すグラフである。解像度決定部１６０は、このようなグラフをデータテーブルとして内部に持つか、または都度数式から算出することにより、視聴者との距離に応じた解像度を決定する。
【００３０】
更に、この解像度決定部１６０は、視力補正手段１６２を有する。即ち、この視力補正手段１６２は、視力入力部１６４から視聴者自身の視力が入力されるのを受けて、図４（ｂ）に示すように、入力された視力に従い、限界解像度と表示解像度とを補正する。この結果、視聴者との距離に応じたこれらの解像度は、視聴者の視力も加味されて決定される。
【００３１】
画像処理部１５６は、最初に、解像度取得部１５２から送られた画像表示部２６０の解像度と、解像度決定部１６０から送られた表示解像度とを比較する。この結果、画像表示部２６０の解像度が表示解像度よりも大きい場合、この画像処理部１５６は、画像入力部１５０ａに入力された画像の解像度を低減させるべく、この画像を所定の倍率で縮小した後、縮小した画像を画像出力部１５８から画像表示装置２００に出力する。ここで、所定の倍率は、比較した２つの解像度の比が採用される。例えば、画像表示部２６０の解像度が２００ｐｐｉ、距離に応じた表示解像度が１００ｐｐｉの場合、画像は１／２に縮小される。他方で、画像表示部２６０の解像度が表示解像度と略等しいか、または小さい場合、この画像処理部１５６は、入力された画像に対して特別な処理を施すことなく、画像出力部１５８から画像表示装置２００に出力する。
【００３２】
画像拡大部２５０は、属性記憶部２５４に記憶された画像表示部２６０のパネル画素数に関する情報に従い、画像入力部１５０ｂに入力された画像の大きさをパネル画素数と同じ程度まで拡大する。拡大された画像は、画像描画部２５２に送られる。尚、本実施形態では、画像拡大部２５０は、画像表示装置２００側に独立して備えたが、画像拡大部２５０の機能は、画像出力装置１００の画像処理部１５６に包含されても良い。
【００３３】
画像描画部２５２は、画像拡大部２５０から送られた画像を画像表示部２６０に表示する。具体的には、入力した画像信号に従い、ＬＣＤコントローラ２０２と、ＬＣＤドライバ２０４により、ＬＣＤパネル２０６に画像を描画する。
【００３４】
（処理フロー）
図３は、画像表示システム１の処理の流れを示すフローチャートであり、この図を参照して、画像表示システム１の処理の流れを説明する。また、この処理の理解を容易にすべく、図５および図６も参照して説明する。
【００３５】
この画像表示システム１による処理が開始されると、最初に、距離情報取得部１７０により、視聴者と画像表示部２６０との間の視距離が測定される（ステップＳ１０）。
【００３６】
次に、解像度決定部１６０により、測定した視距離に応じて視聴者が認識できる画像の解像度が決定される（ステップＳ１２）。ここで、例えば、前記工程（ステップＳ１０）において、視聴者と画像表示部２６０との間の視距離が３．６ｍであった場合、前記した式により、限界解像度は、２５ｐｐｉとなり、この場合の表示解像度も２５ｐｐｉとなる。
【００３７】
続いて、画像処理部１５６により、入力した画像が前記した視距離に応じて縮小され、画像表示装置２００に送られる（ステップＳ１４）。ここで、例えば、画像出力装置１００の画像入力部１５０ａに入力された画像の一部が、図６（ｃ）のようなパターンであった場合を想定する。解像度取得部１５２で取得された画像表示装置２００のＬＣＤパネル２０６の解像度は、縦横共に４８ｐｐｉで限界解像度よりも大きいため、入力された画像は、図６（ｄ）のように略１／２に縮小される。この際、縮小された画像の各画素は、ＬＣＤパネル２０６の各表示画素に合わせて、図６（ｅ）のように４画素単位でグループ化される。例えば、白画素と黒画素とのしきい値を４画素中の２画素として、黒画素が２画素以上の場合は、グループ化された画素は黒画素と決定される。このように画像の全体の画素がグループ化されることにより、画像の全体の画素数は、略１／４に減少する。図５は、視距離に応じてグループ化する画素数と、全体のデータ数の減少との関係を示したグラフである。このグラフが示すように、グループ化する画素数は、視距離に応じて階段状に増加する。更に、これと同期して、画像の全体の画素数、即ち、処理すべき画像のデータ数は、視距離に応じて階段状に減少する。
【００３８】
図３に戻り、続いて、画像表示装置２００の画像拡大部２５０により、縮小された画像は、図６（ｆ）のように、ＬＣＤパネル２０６の画素数と同じになるように拡大される（ステップＳ１６）。
【００３９】
最後に、画像描画部２５２により、拡大された画像は、画像表示部２６０のＬＣＤパネル２０６に表示され（ステップＳ１８）、全ての処理が終了する。
【００４０】
以上述べた実施形態によれば、以下のような効果を奏する。
（１）画像出力装置１００から画像表示装置２００に送られる画像のデータが減少することにより、データを伝送するのに要する電力も低減できる。
【００４１】
以上、本発明を図示した実施形態に基づいて説明したが、本発明は、本実施形態に限定されるものではなく、以下に述べるような変形例も想定できる。
（１）視距離に応じて、表示する画像の解像度を低下させるのに伴い、画像の階調数、フレームレートや輝度値を同時に低下させても良い。更に、インターレス・プログレッシブ（ＩＰ）変換処理を省く等のＬＣＤパネル２０６上での画像描画処理方法を変更しても良い。
【図面の簡単な説明】
【００４２】
【図１】本発明の実施形態に係る画像表示システムのハードウェア構成を示す図。
【図２】本発明の実施形態に係る画像表示システムの機能構成を示す機能ブロック図。
【図３】本発明の実施形態に係る画像表示システムの処理の流れを示すフローチャート。
【図４】（ａ）は、表示解像度と、認識できる限界距離の関係を示し、（ｂ）は、視聴者と画像表示部との距離に応じて算出した限界解像度の変化と、算出した限界解像度に基き、画像表示部で表示する表示解像度を示す図。
【図５】視距離に応じてグループ化する画素数と、全体のデータ数の減少との関係を示した図。
【図６】（ｃ）は、画像入力部に入力された画像を示し、（ｄ）は、縮小された画像を示し、（ｅ）は、４画素単位でグループ化された画像を示し、（ｆ）は、ＬＣＤパネルの画素数と同じになるように拡大された画像を示す図。
【符号の説明】
【００４３】
１…画像表示システム、１００…画像出力装置、１０２…キーボード、１０４…入力Ｉ／Ｆ、１０６ａ，１０６ｂ…ＣＰＵ、１０８ａ，１０８ｂ…ＲＡＭ、１１０ａ，１１０ｂ…ＲＯＭ、１１２ａ，１１２ｂ…画像信号入力端子、１１４…ビデオデコーダ、１１６…ビデオプロセッサ、１１８ａ，１１８ｂ…画像メモリ、１２０…距離検出回路、１２２ａ，１２２ｂ…通信Ｉ／Ｆ、１２４…画像信号出力端子、１２６…距離センサ、１２８ａ，１２８ｂ…バス、１５０ａ，１５０ｂ…画像入力部、１５２…解像度取得部、１５４ａ，１５４ｂ…通信部、１５６…画像処理部、１５８…画像出力部、１６０…解像度決定部、１６２…視力補正手段、１６４…視力入力部、１７０…距離情報取得部、２００…画像表示装置、２０２…ＬＣＤコントローラ、２０４…ＬＣＤドライバ、２０６…ＬＣＤパネル、２５０…画像拡大部、２５２…画像描画部、２５４…属性記憶部、２６０…画像表示部。
【図１】
2007047532.tif 000003
【図２】
2007047532.tif 000004
【図３】
2007047532.tif 000005
【図４】
2007047532.tif 000006
【図５】
2007047532.tif 000007
【図６】
2007047532.tif 000008